(57)【要約】【課題】この発明は、ネットワークに接続された各種の機器に対する制御を容易な操作で実現することができ、ユーザにとっての取り扱いを便利にし得るようにしたＡＶ機器及びその制御方法を提供することを目的としている。【解決手段】ネットワーク接続された複数の機器３７，３８を選択的に制御するＡＶ機器１１であって、制御対象として選択された機器がＡＶ機器１１自身か外部の機器３７，３８かを判別し、ＡＶ機器１１であるときそれを制御するコマンドをリモートコントローラ３２の各キーに割り当て、外部の機器３７，３８であるときそれを制御するコマンドを取得してリモートコントローラ３２の各キーに割り当て、リモートコントローラ３２のキーを操作することによりＡＶ機器１１及び外部の機器３７，３８を選択的に制御する。【選択図】    図１
2006339899.tif 000002
【特許請求の範囲】
【請求項１】
ネットワーク接続された複数の機器を選択的に制御するもので、リモートコントローラによって制御可能なＡＶ機器であって、
前記ネットワーク接続された前記ＡＶ機器を含む複数の機器から制御対象となる機器を選択させるための選択手段と、
前記選択手段で選択された機器が前記ＡＶ機器自身か外部の機器かを判別する第１の判別手段と、
前記第１の判別手段でＡＶ機器自身であると判別されたとき、そのＡＶ機器を制御するコマンドを前記リモートコントローラの各キーに割り当て、前記リモートコントローラのキーを操作することにより前記ＡＶ機器を制御するようにした第１の割り当て手段と、
前記第１の判別手段で外部の機器であると判別されたとき、その機器からそれを制御可能なコマンドを示す情報を取得する取得手段と、
前記取得手段で取得されたコマンドを前記リモートコントローラの各キーに割り当て、前記リモートコントローラのキーを操作することにより前記機器を制御するようにした第２の割り当て手段とを具備することを特徴とするＡＶ機器。
【請求項２】
表示要求に基づいて、制御対象となる機器が前記ＡＶ機器自身か外部の機器かを判別する第２の判別手段と、
前記第２の判別手段で外部の機器であると判別されたとき、前記第２の割り当て手段による前記リモートコントローラの各キーに対するコマンドの割り当てを表示させる第１の表示制御手段とを具備することを特徴とする請求項１記載のＡＶ機器。
【請求項３】
前記リモートコントローラの各キーに対するコマンドの割り当て状態を記憶する記憶手段を具備することを特徴とする請求項１記載のＡＶ機器。
【請求項４】
前記リモートコントローラの所定のキーが操作されたことに基づいて、前記ネットワーク接続された前記ＡＶ機器を含む複数の機器の中から最後に制御されたラスト機器を判別する第３の判別手段と、
前記第３の判別手段で判別されたラスト機器のコマンドを、前記記憶手段に記憶された割り当て状態を参照して、前記リモートコントローラの各キーに割り当てる第３の割り当て手段とを具備することを特徴とする請求項３記載のＡＶ機器。
【請求項５】
前記第３の割り当て手段による前記リモートコントローラの各キーに対するコマンドの割り当てを表示させる第２の表示制御手段を具備することを特徴とする請求項４記載のＡＶ機器。
【請求項６】
ネットワーク接続された複数の機器を選択的に制御するもので、リモートコントローラによって制御可能なＡＶ機器を制御する方法であって、
前記ネットワーク接続された前記ＡＶ機器を含む複数の機器から制御対象となる機器を選択する選択工程と、
前記選択工程で選択された機器が前記ＡＶ機器自身か外部の機器かを判別する第１の判別工程と、
前記第１の判別工程でＡＶ機器自身であると判別されたとき、そのＡＶ機器を制御するコマンドを前記リモートコントローラの各キーに割り当て、前記リモートコントローラのキーを操作することにより前記ＡＶ機器を制御するようにした第１の割り当て工程と、
前記第１の判別工程で外部の機器であると判別されたとき、その機器からそれを制御可能なコマンドを示す情報を取得する取得工程と、
前記取得工程で取得されたコマンドを前記リモートコントローラの各キーに割り当て、前記リモートコントローラのキーを操作することにより前記機器を制御するようにした第２の割り当て工程とを具備することを特徴とするＡＶ機器の制御方法。
【請求項７】
表示要求に基づいて、制御対象となる機器が前記ＡＶ機器自身か外部の機器かを判別する第２の判別工程と、
前記第２の判別工程で外部の機器であると判別されたとき、前記第２の割り当て工程による前記リモートコントローラの各キーに対するコマンドの割り当てを表示させる第１の表示制御工程とを具備することを特徴とする請求項６記載のＡＶ機器の制御方法。
【請求項８】
前記リモートコントローラの各キーに対するコマンドの割り当て状態を記憶する記憶工程を具備することを特徴とする請求項６記載のＡＶ機器の制御方法。
【請求項９】
前記リモートコントローラの所定のキーが操作されたことに基づいて、前記ネットワーク接続された前記ＡＶ機器を含む複数の機器の中から最後に制御されたラスト機器を判別する第３の判別工程と、
前記第３の判別工程で判別されたラスト機器のコマンドを、前記記憶工程で記憶された割り当て状態を参照して、前記リモートコントローラの各キーに割り当てる第３の割り当て工程とを具備することを特徴とする請求項８記載のＡＶ機器の制御方法。
【請求項１０】
前記第３の割り当て工程による前記リモートコントローラの各キーに対するコマンドの割り当てを表示させる第２の表示制御工程を具備することを特徴とする請求項９記載のＡＶ機器の制御方法。
【発明の詳細な説明】
【技術分野】
【０００１】
この発明は、ネットワークに接続された複数の機器を選択的に制御するＡＶ（audio video）機器及びその制御方法に関する。
【背景技術】
【０００２】
周知のように、近年では、例えばＴＶ（television）受信機、ＳＴＢ（set top box）、ＤＶＤ（digital versatile disk）レコーダ、ＰＣ（personal computer）等を含む各種の機器を、ｉ．Link（登録商標）等の所定のデジタルインターフェイスを介して接続することにより、ネットワークシステムを構築することが可能になっている。
【０００３】
そして、この種のネットワークシステムにおいては、映像表示パネルを有するＡＶ機器を用いて特定の機器を選択し、その選択した機器に対する操作画面を映像表示パネル上にＯＳＤ（on screen display）表示させることにより、操作画面上で特定の機器を制御することができるようになっている。
【０００４】
しかしながら、一般に、映像表示パネル上にＯＳＤ表示された操作画面を用いて、ネットワークに接続された特定の機器を制御することは、制御する毎に操作画面を表示させる必要があり、また、操作自体も煩雑であることから、ユーザにとって取り扱いが不便なものとなっている。
【０００５】
特許文献１には、ネットワーク上の制御対象機器から制御情報を取得することにより、１台で複数個の制御対象機器の制御を可能とし、しかも、その制御のための操作には、外部から圧力が加えられると物理的なストロークを発生して操作感を得られるボタンを使用した機器制御装置の構成が開示されている。
【特許文献１】特開２００２−４１２１０号公報
【発明の開示】
【発明が解決しようとする課題】
【０００６】
そこで、この発明は上記事情を考慮してなされたもので、ネットワークに接続された各種の機器に対する制御を容易な操作で実現することができ、ユーザにとっての取り扱いを便利にし得るようにしたＡＶ機器及びその制御方法を提供することを目的とする。
【課題を解決するための手段】
【０００７】
この発明に係るＡＶ機器は、ネットワーク接続された複数の機器を選択的に制御するもので、リモートコントローラによって制御可能なものを対象としている。そして、ネットワーク接続されたＡＶ機器を含む複数の機器から制御対象となる機器を選択させるための選択手段と、選択手段で選択された機器がＡＶ機器自身か外部の機器かを判別する第１の判別手段と、第１の判別手段でＡＶ機器自身であると判別されたとき、そのＡＶ機器を制御するコマンドをリモートコントローラの各キーに割り当て、リモートコントローラのキーを操作することによりＡＶ機器を制御するようにした第１の割り当て手段と、第１の判別手段で外部の機器であると判別されたとき、その機器からそれを制御可能なコマンドを示す情報を取得する取得手段と、取得手段で取得されたコマンドをリモートコントローラの各キーに割り当て、リモートコントローラのキーを操作することにより機器を制御するようにした第２の割り当て手段とを備えるようにしたものである。
【０００８】
また、この発明に係るＡＶ機器の制御方法は、ネットワーク接続された複数の機器を選択的に制御するもので、リモートコントローラによって制御可能なＡＶ機器を制御する方法を対象としている。そして、ネットワーク接続されたＡＶ機器を含む複数の機器から制御対象となる機器を選択する選択工程と、選択工程で選択された機器がＡＶ機器自身か外部の機器かを判別する第１の判別工程と、第１の判別工程でＡＶ機器自身であると判別されたとき、そのＡＶ機器を制御するコマンドをリモートコントローラの各キーに割り当て、リモートコントローラのキーを操作することによりＡＶ機器を制御するようにした第１の割り当て工程と、第１の判別工程で外部の機器であると判別されたとき、その機器からそれを制御可能なコマンドを示す情報を取得する取得工程と、取得工程で取得されたコマンドをリモートコントローラの各キーに割り当て、リモートコントローラのキーを操作することにより機器を制御するようにした第２の割り当て工程とを備えるようにしたものである。
【発明の効果】
【０００９】
上記のような構成及び方法によれば、制御対象機器として外部機器が指定された場合、その制御対象機器から制御可能なコマンドを示す情報を取得し、リモートコントローラの各キーに各コマンドを割り当てるようにしたので、リモートコントローラの各キーを操作することによって、制御対象となる機器をダイレクトに制御することができるようになり、ネットワークに接続された各種の機器に対する制御を容易な操作で実現することができ、ユーザにとっての取り扱いを便利にすることができる。
【発明を実施するための最良の形態】
【００１０】
以下、この発明の実施の形態について図面を参照して詳細に説明する。図１は、この実施の形態で説明するＡＶ機器として記録再生装置１１を示している。すなわち、衛星放送受信用のアンテナ１２で受信された放送信号は、入力端子１３を介してチューナ部１４に供給されて選局処理及び復調処理が施された後、デコード部１５に供給される。
【００１１】
また、地上波放送受信用のアンテナ１６で受信された放送信号は、入力端子１７を介してチューナ部１８に供給されて選局処理及び復調処理が施された後、上記デコード部１５に供給される。
【００１２】
このデコード部１５は、各チューナ部１４，１８から供給された信号に対して選択的にデコード処理を施している。このデコード部１５でデコード処理の施された信号は、信号処理部１９を介した後、ディスクドライブ部２０による光ディスク２１への記録と、ＨＤＤ（hard disk drive）部２２によるハードディスク２３への記録とに供される。光ディスク２１への信号記録とハードディスク２３への信号記録とは、選択的に行なうことも同時に行なうことも可能である。
【００１３】
一方、光ディスク２１に記録された信号は、ディスクドライブ部２０で読み取られ信号処理部１９に供給される。また、ハードディスク２３に記録された信号は、ＨＤＤ部２２で読み取られ信号処理部１９に供給される。この信号処理部１９は、ディスクドライブ部２０またはＨＤＤ部２２から供給された信号をエンコード部２４に供給している。
【００１４】
このエンコード部２４は、信号処理部１９から供給された信号に対してエンコード処理を施し、映像信号と音声信号とを生成する。そして、このエンコード部２４で生成された映像信号は、映像音声処理部２５により所定の映像信号処理が施された後、出力端子２６を介して外部のモニタ２７での映像表示に供される。
【００１５】
また、上記エンコード部２４で生成された音声信号は、映像音声処理部２５により所定の音声信号処理が施された後、出力端子２８を介して外部のスピーカ２９での音声再生に供される。
【００１６】
ここで、この記録再生装置１１は、上記した記録再生動作を含むその全ての動作を制御部３０によって統括的に制御している。この制御部３０は、ＣＰＵ（central processing unit）等を内蔵しており、操作部３１からの操作情報、または、リモートコントローラ３２から送信された操作情報を受信部３３を介して受けることにより、その操作内容が反映されるように各部をそれぞれ制御している。
【００１７】
この場合、制御部３０は、メモリ部３４を利用している。このメモリ部３４は、主として、そのＣＰＵが実行する制御プログラムを格納したＲＯＭ（read only memory）と、該ＣＰＵに作業エリアを提供するＲＡＭ（random access memory）と、各種の設定情報及び制御情報等が格納される不揮発性メモリとを備えている。
【００１８】
また、この制御部３０は、例えばｉ．Link（登録商標）等のデジタルインターフェイス規格に準拠した通信部３５を介して接続端子３６に接続されている。この接続端子３６には、例えばＴＶ受信機、ＳＴＢ、ＤＶＤレコーダ、ＰＣ等を含む各種（図示の場合は２つ）の機器３７，３８がネットワーク接続されている。
【００１９】
そして、上記制御部３０は、通信部３５を介して各機器３７，３８と通信を行ない、所望の機器を選択的に制御することができるようになっている。
【００２０】
図２は、上記リモートコントローラ３２の外観を示している。このリモートコントローラ３２には、主として、電源キー３２ａ、メニューキー３２ｂ、表示キー３２ｃ、カーソルキー３２ｄ、決定キー３２ｅ、戻るキー３２ｆ、記録再生制御に関するキー群３２ｇ（早戻しキー３２ｇ１、再生キー３２ｇ２、早送りキー３２ｇ３、一時停止キー３２ｇ４、録画キー３２ｇ５、停止キー３２ｇ６、コマ戻しキー３２ｇ７、コマ送りキー３２ｇ８）、数字キー３２ｈ、チャンネルアップダウンキー３２ｉ、音量調整キー３２ｊ等が設けられている。
【００２１】
図３は、この記録再生装置１１によって、ネットワーク接続された各種の機器３７，３８（記録再生装置１１自身も含む）から所望の機器を選択し、制御する場合の処理動作例を説明するためのフローチャートを示している。
【００２２】
この処理は、ユーザが、ネットワーク接続された各種の機器３７，３８（記録再生装置１１自身も含む）の中から、制御すべき所望の機器の選択を要求する操作を行なうことにより開始（ステップＳ１）される。すると、制御部３０は、ステップＳ２で、モニタ２７に機器選択画面を表示させる。
【００２３】
すなわち、ユーザがリモートコントローラ３２のメニューキー３２ｂを操作すると、制御部３０は、図４に示すように、各種の選択項目が配列されたメニュー画面をモニタ２７に表示させる。
【００２４】
そして、ユーザが、このメニュー画面に表示された各種の項目の中から、「機器選択」の項目をカーソルキー３２ｃで選択し、決定キー３２ｄを操作すると、制御部３０は、ネットワーク接続されている全ての機器３７，３８からそれぞれ機器種別［例えばＨＤＤ、Ｄ（digital）−ＶＨＳ（video home system）、チューナ等］を示す情報を取得して、メモリ部３４の不揮発性メモリに保持する。
【００２５】
その後、制御部３０は、不揮発性メモリの内容を参照して、図５に示すように、現在ネットワーク接続されている全ての機器３７，３８の一覧を示す機器選択画面をモニタ２７に表示させる。この機器選択画面には、自己、つまり、記録再生装置１１自身も選択対象として含まれている。そして、この機器選択画面上で、ユーザが、カーソルキー３２ｃを操作して所定の機器を選択し、決定キー３２ｄを操作することにより、自己を含むいずれかの機器を選択設定することができる。
【００２６】
その後、制御部３０は、ステップＳ３で、選択設定された制御対象機器が自己であるか外部の機器３７，３８であるかを判別する。そして、選択設定された制御対象機器が自己であると判断された場合、制御部３０は、ステップＳ４で、リモートコントローラ３２の各キーに自己を制御するための各コマンドを割り当てて、処理を終了（ステップＳ５）する。これにより、以後、リモートコントローラ３２の各キーを操作することによって、記録再生装置１１をダイレクトに制御することができる。
【００２７】
また、上記ステップＳ３で制御対象機器が外部の機器（例えば３７）であると判断された場合、制御部３０は、ステップＳ６で、その制御対象機器３７から制御可能なコマンド（例えば再生、早送り、コマ送り等）を示す情報を取得する。
【００２８】
その後、制御部３０は、ステップＳ７で、ステップＳ６で取得した情報に基づいて、リモートコントローラ３２の各キーに制御対象機器３７を制御するための各コマンドを割り当てて、処理を終了（ステップＳ５）する。
【００２９】
なお、リモートコントローラ３２の各キーに対するコマンドの割り当ては、リモートコントローラ３２の各キーの数と制御可能なコマンド数とが合っていない場合があるため、リモートコントローラ３２の各キーに割り当てるコマンドを事前に決めておき、このコマンドが制御する外部機器３７に存在すれば割り当てを行ない、存在しない場合は一旦保留し、キーへの割り当てに溢れたコマンドが存在した場合は、そのコマンドを順次保留キーに割り当てる方法がある。これにより、以後、リモートコントローラ３２の各キーを操作することによって、制御対象となる機器３７をダイレクトに制御することができる。
【００３０】
なお、上記制御対象機器として選択された機器３７の機器種別を示す情報と、その機器３７の制御可能なコマンドを示す情報と、そのコマンドのリモートコントローラ３２の各キーに対する割り当て状態を示す情報とは、上記メモリ部３４の不揮発性メモリに対応させて保持される。
【００３１】
これにより、次の同じ機器３７が制御対象機器として選択された場合、その機器３７から制御可能なコマンドを示す情報を取得しなくても、不揮発性メモリの内容を参照することにより、選択された機器３７を制御するための各コマンドをリモートコントローラ３２の各キーに容易に割り当てることができる。
【００３２】
図６は、上記のようにしてリモートコントローラ３２の各キーに制御対象機器３７を制御するための各コマンドの割り当てが終了した状態で、どのキーにどの制御内容が割り当てられているかをユーザに表示するための処理動作例を説明するためのフローチャートを示している。
【００３３】
すなわち、処理が開始（ステップＳ８）されて、制御部３０が、ステップＳ９で、リモートコントローラ３２の表示キー３２ｃが操作されたことを検知すると、制御部３０は、ステップＳ１０で、制御対象機器が自己であるか外部の機器３７，３８であるかを判別する。
【００３４】
そして、制御対象機器が自己であると判断された場合、制御部３０は、ステップＳ１１で、リモートコントローラ３２の各キーに対して自己を制御するための各コマンドがどのように割り当てられているかを示す割り当て画面をモニタ２７に表示させて、処理を終了（ステップＳ１２）する。
【００３５】
ただし、制御対象機器が自己である場合には、リモートコントローラ３２の各キーに対してそれぞれコマンド名が記載されている、つまり、各キーに対するコマンドが既に表示されているので、ステップＳ１１の処理は省略することもできる。
【００３６】
また、上記ステップＳ１０で制御対象機器が外部の機器（例えば３７）であると判断された場合、制御部３０は、ステップＳ１３で、リモートコントローラ３２の各キーに対して外部機器３７を制御するための各コマンドがどのように割り当てられているかを示す割り当て画面をモニタ２７に表示させて、処理を終了（ステップＳ１２）する。
【００３７】
図７は、上記ステップＳ１３の処理に基づいてモニタ２７に表示されたコマンド割り当て画面の一例を示している。このコマンド割り当て画面では、制御対象となる機器３７を示す機器名と、リモートコントローラ３２の記録再生制御に関するキー群３２ｇの各キー３２ｇ１〜３２ｇ８のキー配列とが表示される。
【００３８】
そして、このキー配列に表示されている各キーには、それぞれ割り当てられたコマンド名が表示されている。この場合、早戻しキー３２ｇ１、再生キー３２ｇ２、早送りキー３２ｇ３、一時停止キー３２ｇ４、録画キー３２ｇ５、停止キー３２ｇ６に対応して表示されている各キーには、それぞれ本来のコマンド、つまり、早戻し、再生、早送り、一時停止、録画、停止と同じコマンド名が表示されている。そして、コマ戻しキー３２ｇ７、コマ送りキー３２ｇ８に対応して表示されている各キーには、それぞれ、頭出し、オートリピートを示すコマンド名が表示されている。
【００３９】
このため、ユーザがリモートコントローラ３２のコマ戻しキー３２ｇ７を操作すると、機器３７が頭出し機能を実行するように制御される。また、ユーザがリモートコントローラ３２のコマ送りキー３２ｇ８を操作すると、機器３７が予め設定された区間を繰り返し再生するオートリピート機能を実行するように制御される。
【００４０】
上記した実施の形態によれば、制御対象機器として外部の機器３７が指定された場合、その制御対象機器３７から制御可能なコマンドを示す情報を取得し、リモートコントローラ３２の各キーに制御対象機器３７を制御するための各コマンドを割り当てるようにしている。
【００４１】
このため、リモートコントローラ３２の各キーを操作することによって、制御対象となる機器３７をダイレクトに制御することができるようになり、ネットワークに接続された各種の機器に対する制御を容易な操作で実現することができ、ユーザにとっての取り扱いを便利にすることができる。
【００４２】
図８は、他の処理動作例を説明するためのフローチャートを示している。すなわち、処理が開始（ステップＳ１４）されて、制御部３０が、ステップＳ１５で、リモートコントローラ３２の例えば再生キー３２ｇ２が操作されたことを検知すると、制御部３０は、ステップＳ１６で、最後に制御されていた機器（ラスト機器）がどれであるかを判断する。
【００４３】
このラスト機器の判断は、ラスト機器の制御を停止させた時点でラスト機器の識別情報がメモリ部３４の不揮発性メモリに保持されるので、その不揮発性メモリの内容を参照することによりラスト機器を容易に識別することができる。
【００４４】
ここで、ラスト機器のコマンドは、以前にラスト機器を制御したときにリモートコントローラ３２の各キーに対して割り当てが行なわれており、その割り当てを示す情報が不揮発性メモリに記憶されている。このため、制御部３０は、ステップＳ１７で、不揮発性メモリの内容に基づいて、リモートコントローラ３２の各キーにラスト機器を制御するための各コマンドを割り当てるとともに、ラスト機器を再生状態に制御する。
【００４５】
その後、制御部３０は、ステップＳ１８で、リモートコントローラ３２の各キーに対してラスト機器を制御するための各コマンドがどのように割り当てられているかを示す割り当て画面をモニタ２７に表示させて、処理を終了（ステップＳ１９）する。
【００４６】
図８に示した処理動作例によれば、ユーザが再生キー３２ｇ２を操作することにより、自動的にラスト機器が選択され、そのラスト機器のコマンドがリモートコントローラ３２の各キーに割り当てられるようにしたので、例えば日常的に同じ機器をよく使用する場合等に、機器選択の操作が不要となり、ユーザにとっての取り扱いを便利にすることができる。
【００４７】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４８】
【図１】この発明の実施の形態を示すもので、記録再生装置を説明するために示すブロック構成図。
【図２】同実施の形態における記録再生装置のリモートコントローラの外観を説明するために示す図。
【図３】同実施の形態における記録再生装置のコマンド割り当て処理動作の一例を説明するために示すフローチャート。
【図４】同実施の形態における記録再生装置のコマンド割り当て処理動作時に表示されるメニュー画面の一例を説明するために示す図。
【図５】同実施の形態における記録再生装置のコマンド割り当て処理動作時に表示される機器選択画面の一例を説明するために示す図。
【図６】同実施の形態における記録再生装置のコマンド割り当て表示処理動作の一例を説明するために示すフローチャート。
【図７】同実施の形態における記録再生装置のコマンド割り当て表示処理動作時に表示されるコマンド割り当て画面の一例を説明するために示す図。
【図８】同実施の形態における記録再生装置のコマンド割り当て処理動作の他の例を説明するために示すフローチャート。
【符号の説明】
【００４９】
１１…記録再生装置、１２…アンテナ、１３…入力端子、１４…チューナ部、１５…デコード部、１６…アンテナ、１７…入力端子、１８…チューナ部、１９…信号処理部、２０…ディスクドライブ部、２１…光ディスク、２２…ＨＤＤ部、２３…ハードディスク、２４…エンコード部、２５…映像音声処理部、２６…出力端子、２７…モニタ、２８…出力端子、２９…スピーカ、３０…制御部、３１…操作部、３２…リモートコントローラ、３３…受信部、３４…メモリ部、３５…通信部、３６…接続端子、３７，３８…機器。
【図１】
2006339899.tif 000003
【図２】
2006339899.tif 000004
【図３】
2006339899.tif 000005
【図４】
2006339899.tif 000006
【図５】
2006339899.tif 000007
【図６】
2006339899.tif 000008
【図７】
2006339899.tif 000009
【図８】
2006339899.tif 000010